【手続補正書】
【提出日】平成19年4月25日(2007.4.25)
【手続補正１】
【補正対象書類名】特許請求の範囲
【補正対象項目名】全文
【補正方法】変更
【補正の内容】
【特許請求の範囲】
【請求項１】
コンピュータシステムを、
文書データベースに登録された各文書に対し各ユーザが行った参照についてのログに記録するログ記録手段、
前記各文書の中から種文書とする文書の指定を受け付ける種文書指定手段、
前記各文書について、該文書の前記種文書に対する適合度を、前記ログ記録手段に記録されたログ群から求められる各ユーザの各文書に対する参照頻度に基づき計算する適合度計算手段、
計算された適合度の値が高い文書から順に提示する提示手段、
として機能させるためのプログラム。
【請求項２】
前記適合度計算手段は、
ユーザと文書の組合せごとに、前記ログ記録手段に記録されたログに基づき当該ユーザの当該文書に対する参照頻度に応じた参照頻度スコアを計算し、ユーザと文書の組合せごとの参照頻度スコアを記憶したインデックステーブルを作成する手段と、
前記種文書を参照したユーザを前記参照ログ記録手段から求め、求めた各ユーザの各文書に対する参照頻度スコアを前記インデックステーブルから求め、求めた参照頻度スコアを文書ごとに集計することで、前記種文書に対する各文書の適合度を計算する手段と、
を備えることを特徴とする、請求項１記載のプログラム。
【請求項３】
前記インデックステーブルを作成する手段は、ログに記録されたユーザの文書に対する参照の時期が前記文書データベースに対する該文書の登録の時点から短時間であるほど、前記参照頻度スコアに対する該参照の寄与が大きくなる計算式により、前記参照頻度スコアを計算することを特徴とする、請求項２記載のプログラム。
【請求項４】
コンピュータシステムを、
通信手段を介してユーザからメッセージの投稿を受け付け、投稿されたメッセージを該通信手段を利用する各ユーザに公開するコミュニケーション手段であって、相互に関連度が規定された複数の投稿場所を有し、ユーザからそれら投稿場所のうちのいずれかを指定したメッセージの投稿を受け付けると共に、受け付けたメッセージに文書が添付されている場合、該文書を所定の文書データベースに登録するコミュニケーション手段、
前記文書データベースに登録された文書群の中から、種文書とする文書の指定を受け付ける種文書指定手段、
前記文書データベースに登録された各文書の前記種文書に対する適合度を、前記種文書が添付されたメッセージの投稿場所と他の文書が添付されたメッセージの投稿場所との間の関連度に基づき計算する適合度計算手段、
計算された適合度の値が高い文書から順に提示する提示手段、
として機能させるためのプログラム。
【請求項５】
前記種文書指定手段は、前記コミュニケーション手段の提供するメッセージの表示画面における該メッセージへの添付文書の表示に対応づけて、該添付文書を種文書とする指定を受けるためのグラフィカルユーザインタフェースを表示部に表示させる手段を含む、ことを特徴とする請求項４記載のプログラム。
【請求項６】
前記コンピュータシステムを、
前記文書データベースに登録された文書群が形成する版系列の情報を管理する版管理手段、
前記提示手段に提示された文書群から、前記種文書の旧版となる旧版文書の選択を受け付ける選択手段、
選択された旧版文書が属する版系列に対し前記種文書を新版とする情報を前記版管理手段に登録する版追加手段、
として更に機能させる請求項１から５のいずれか１項に記載のプログラム。
【請求項７】
前記コンピュータシステムを、前記文書データベースに登録された文書群が形成する版系列の情報を管理する版管理を行う版管理手段、として更に機能させると共に、
前記種文書指定手段は、前記版管理手段に管理された文書群を提示し、その中から種文書の指定を受け付ける手段を含む、
ことを特徴とする請求項１から４のいずれか１項に記載のプログラム。
【請求項８】
前記コンピュータシステムを、
前記提示手段に提示された文書群から、前記種文書の新版となる新版文書の選択を受け付ける選択手段、
選択された新版文書を、前記種文書が属する版系列の新版とする情報を前記版管理手段に登録する版追加手段、
として更に機能させる請求項７に記載のプログラム。
【請求項９】
前記コンピュータシステムを、
前記種文書と、前記提示手段に提示された各文書との間の差分を示す差分情報を提示する手段、
として更に機能させる請求項６又は８に記載のプログラム。
【請求項１０】
前記コンピュータシステムを、
前記文書データベースに登録された文書群が形成する版系列の情報を管理する版管理手段、
前記提示手段に提示された文書群から、同一文書の版系列を構成する各文書の選択を受け付ける選択手段、
選択された各文書からなる版系列を新たに前記版管理手段に登録する版系列作成手段、
として更に機能させる請求項１から５のいずれか１項に記載のプログラム。
【請求項１１】
前記コンピュータシステムを、
前記文書の内容及び属性の少なくとも一方についての検索条件の指定を受け付ける検索条件受付手段、
前記文書データベースに登録された各文書の該検索条件に対する適合度を計算する第２の適合度計算手段、
前記各文書について、前記適合度計算手段及び該第２の適合度計算手段で計算された前記種文書に対する適合度に基づき、総合的な適合度を計算する総合適合度計算手段、
として更に機能させると共に、
前記提示手段は、前記種文書と、前記文書の内容及び属性の少なくとも一方についての検索条件と、の両方が指定された場合には、前記総合的な適合度の値が高い文書から順に示した検索結果を提示する、
ことを特徴とする請求項１から１０のいずれか１項に記載のプログラム。
【請求項１２】
文書データベースに登録された各文書に対し各ユーザが行った参照についてのログに記録するログ記録手段と、
前記各文書の中から種文書とする文書の指定を受け付ける種文書指定手段と、
前記各文書について、該文書の前記種文書に対する適合度を、前記ログ記録手段に記録されたログ群から求められる各ユーザの各文書に対する参照頻度に基づき計算する適合度計算手段と、
計算された適合度の値が高い文書から順に示した検索結果を提示する提示手段と、
を備える関連文書検索装置。
【請求項１３】
通信手段を介してユーザからメッセージの投稿を受け付け、投稿されたメッセージを該通信手段を利用する各ユーザに公開するコミュニケーション手段であって、相互に関連度が規定された複数の投稿場所を有し、ユーザからそれらの投稿場所のうちのいずれかを指定したメッセージの投稿を受け付けると共に、受け付けたメッセージに文書が添付されている場合、該文書を所定の文書データベースに登録するコミュニケーション手段と、
前記文書データベースに登録された文書群の中から、種文書とする文書の指定を受け付ける種文書指定手段と、
前記文書データベースに登録された各文書の前記種文書に対する適合度を、前記種文書が添付されたメッセージの投稿場所と他の文書が添付されたメッセージの投稿場所との間の関連度に基づき計算する適合度計算手段と、
計算された適合度の値が高い文書から順に示した検索結果を提示する提示手段と、
を備える関連文書検索装置。
【手続補正２】
【補正対象書類名】明細書
【補正対象項目名】００１１
【補正方法】変更
【補正の内容】
【００１１】
本発明の１つの側面では、コンピュータシステムを、文書データベースに登録された各文書に対し各ユーザが行った参照についてのログに記録するログ記録手段、前記各文書の中から種文書とする文書の指定を受け付ける種文書指定手段、前記各文書について、該文書の前記種文書に対する適合度を、前記ログ記録手段に記録されたログ群から求められる各ユーザの各文書に対する参照頻度に基づき計算する適合度計算手段、計算された適合度の値が高い文書から順に提示する提示手段、として機能させるためのプログラムを提供する。
【手続補正３】
【補正対象書類名】明細書
【補正対象項目名】００１２
【補正方法】変更
【補正の内容】
【００１２】
本発明の別の側面では、コンピュータシステムを、通信手段を介してユーザからメッセージの投稿を受け付け、投稿されたメッセージを、該通信手段を利用する各ユーザに公開するコミュニケーション手段であって、相互に関連度が規定された複数の投稿場所を有し、ユーザからそれらの投稿場所のうちのいずれかを指定してメッセージの投稿を受け付けると共に、受け付けたメッセージに文書が添付されている場合、該文書を所定の文書データベースに登録するコミュニケーション手段、前記文書データベースに登録された文書群の中から、種文書とする文書の指定を受け付ける種文書指定手段、前記文書データベースに登録された各文書の前記種文書に対する適合度を、前記種文書が添付されたメッセージの投稿場所と他の文書が添付されたメッセージの投稿場所との間の関連度に基づき計算する適合度計算手段、計算された適合度の値が高い文書から順に提示する提示手段、として機能させるためのプログラムを提供する。